(57)【要約】【課題】外装箱の稜部や角部においても、良好な緩衝効果を発揮できて、外装箱の稜部や角部に大きな凹みや破損を生じさせないように工夫した緩衝包装材を提供する。【解決手段】本体部２１の上面側に被包装物の下部を挿入できる収納凹部２２を有する下部包装材２と、本体部１１の下面側に被包装物の上部を挿入できる収納凹部１２を有する上部包装材１とからなり、下部包装材２および上部包装材１の収納凹部２２および１２を囲む側壁２５および１５の外面に、それぞれ外方に突出して外装箱Ｃの内面に当接する側部用の緩衝突起２７および１７を設け、下部包装材２および上部包装材１には、それぞれ前記側壁によるコーナー部２８および１８の外側面に、外方へ斜めに突出して外装箱の稜部両側内面に当接もしくは近接する稜部用の緩衝突起２９および１９を設ける。【選択図】図２
2010208658.tif 000002
【特許請求の範囲】
【請求項１】
合成樹脂発泡体によりそれぞれ成形された平面方形の上下一対の包装材で、上面側に被包装物の下部を挿入できる収納凹部を有する下部包装材と、下面側に被包装物の上部を挿入できる収納凹部を有する上部包装材とからなり、前記下部包装材および上部包装材の前記収納凹部を囲む側壁の外側面に、それぞれ外方に突出して外装箱内面に当接する側部用の緩衝突起が設けられてなる緩衝包装材であって、
前記下部包装材および上部包装材には、それぞれ前記側壁によるコーナー部の外面に、外方へ斜めに突出して外装箱の稜部両側内面に当接もしくは近接する稜部用の緩衝突起が設けられてなることを特徴とする緩衝包装材。
【請求項２】
前記下部包装材の底部上面には外装箱の底部に当接する底部受用の凸部が、前記上部包装材の天部下面には外装箱の天部に当接する天部受用の凸部がそれぞれ設けられており、前記下部包装材および上部包装材における少なくとも稜部用の緩衝突起が、それぞれ前記底部受用の凸部又は天部受用の凸部と同一平面位置まで延設されて、外装箱の底部内面又は天部内面に当接するように設けられてなる請求項１に記載の緩衝包装材。
【請求項３】
前記下部包装材における少なくとも稜部用の緩衝突起の底部側に延設された端部が、底部下面の四隅部もしくはその近傍に有する底部受用の凸部に連続して形成されてなる請求項２に記載の緩衝包装材。
【請求項４】
前記上部包装材における少なくとも稜部用の緩衝突起の天部側に延設された端部が、天部上面の四隅部もしくはその近傍に有する天部受用の凸部に連続して形成されてなる請求項３に記載の緩衝包装材。
【請求項５】
前記下部包装材における少なくとも稜部用の緩衝突起の底部側の端面、および、前記上部包装材における少なくとも稜部用の緩衝突起の天部側の端面が、それぞれ斜めに面取り形成されてなる請求項２〜４のいずれか１項に記載の緩衝包装材。
【請求項６】
前記下部包装材の底部下面および上部包装材の天部上面がそれぞれ平坦面とされ、下部包装材の底部上面に被包装物の底部受用の凸部が、また上部包装材の天部下面に被包装物の天部受用の凸部がそれぞれ設けられてなる請求項１に記載の緩衝包装材。
【請求項７】
前記下部包装材における少なくとも稜部用の緩衝突起の底部側の端面、および前記上部包装材における少なくとも稜部用の緩衝突起の天部側の端面が、それぞれ斜めに面取り形成されてなる請求項６に記載の緩衝包装材。
【発明の詳細な説明】
【技術分野】
【０００１】
本発明は、主として半導体ウエハー等を収納した基板収納ボックスその他の被包装物を外装箱に収納して包装する際に、該被包装物を保護するのに使用する緩衝包装材に関するものである。
【背景技術】
【０００２】
集積回路に使用する半導体ウエハーは、他物との接触による衝撃や汚れ等が品質の維持に問題になるきわめて繊細な製品であり、また高価でもあることから、その輸送においては、ウエハーの保護や安全のために、プラスチックス製で保形強度のある専用の基板収納ボックス（ハードケース）を用い、所要数枚のウエハーを一定間隔に並べて収納し包装するのが普通である。かかる基板収納ボックスは、殆ど緩衝機能を有していないために、そのまま輸送すると、外部からの衝撃により内部のウエハーが損傷する虞がある。そのため、合成樹脂発泡体よりなる緩衝包装材により、前記基板収納ボックスの上下部を保持した状態で段ボール製の外装箱に収納して包装することとして衝撃を緩和、抑制し、ウエハーを保護することが行われている。
【０００３】
前記の包装に用いられる緩衝包装材は、前記基板収納ボックス等の被包装物の上下部をそれぞれ嵌合して保持する上下一対の包装材よりなるものであるが、外装箱の外面に加わる衝撃を吸収し緩和する効果を高めるために、上下の包装材の外周面に放射状に突出する角状の緩衝用の突起を設け、これを段ボール製の外装箱の内面に当接させて支持し、外装箱の外面に対する外力に対して該突起の弾性変形により緩衝の効果を得るようにしたものが提案されている（例えば、特許文献１）。また、前記同様の突起を外側面に設けたものとして、方形の本体部の角部において、側面延長方向に突出する突起を、外装箱との間に空間を保有させるように設けることも提案されている（特許文献２）。
【０００４】
しかし、前記いずれの緩衝包装材の場合も、本体部の外側面に設けた突起を外装箱に対して当接させて支持するものであって、突起以外の部分では本体部と外装箱との間に空間を保有し該部分には突起による支えを有さないため、外的衝撃や圧力に対して弱く、他物との衝突等により外装箱に凹みが生じ易く、特に外装箱の底部側の角部や稜部が大きく凹む等の変形が生じ易い。
【０００５】
仮に、底部側の角部や稜部に大きな変形が生じると、座りが悪くなって、段積みした場合に不安定になる上、外観的に不体裁で商品イメージが悪くなり、内部のウエハー等の基板に影響がなくてもユーザーに不安を与え、信頼性を損なう虞がある。
【先行技術文献】
【特許文献】
【０００６】
【特許文献１】特開２００３−２６２３２号公報
【特許文献２】特開２００７−１１９０２０号公報
【発明の概要】
【発明が解決しようとする課題】
【０００７】
本発明は、上記の問題を解消するためになしたものであり、外装箱の稜部や角部においても、緩衝突起による支えの効果および緩衝効果を良好に発揮でき、外装箱の稜部や角部に大きな凹みや破損を生じさせないようにした緩衝包装材を提供するものである。
【課題を解決するための手段】
【０００８】
上記の課題を解決する本発明は、合成樹脂発泡体によりそれぞれ成形された上下一対の包装材で、平面方形の本体部の上面側に被包装物の下部を挿入できる収納凹部を有する下部包装材と、平面方形の本体部の下面側に被包装物の上部を挿入できる収納凹部を有する上部包装材とからなり、前記下部包装材および上部包装材の前記収納凹部を囲む四方の側壁外面に、それぞれ外方に突出して外装箱内面に当接する側部用の緩衝突起が設けられてなる緩衝包装材であって、前記下部包装材および上部包装材には、それぞれ前記側壁外側面が交わるコーナー部の外面に、外方へ斜めに突出して外装箱の側面部における稜部両側内面に当接もしくは近接する稜部用の緩衝突起が設けられてなることを特徴とする。
【０００９】
この緩衝包装材によれば、基板収納ボックス等の被包装物の下部を下部包装材の収納凹部に挿入し、上部を上部包装材の収納凹部に挿入して保持し、外装箱に収納し包装した状態において、下部包装材および上部包装材の側壁外面に有する側部用の緩衝突起が外装箱内面に当接して支持されるとともに、稜部用の緩衝突起が外装箱の稜部の両側内面に当接もしくは近接して支持されることになるため、外装箱に他物当接や落下による外力が作用したときに、前記各緩衝突起が弾性変形して衝撃を吸収し緩和できるばかりか、特に、外装箱の稜部が外的圧力に対して強くなり、例えば斜め落下の際にも稜部や隅角部が容易に大きく凹んだり破損したりすることがない。
【００１０】
前記の緩衝包装材において、前記下部包装材の底部下面には外装箱の底部に当接する底部受用の凸部が、前記上部包装材の天部上面には外装箱の天部に当接する天部受用の凸部がそれぞれ設けられており、前記下部包装材および上部包装材における少なくとも稜部用の緩衝突起が、前記底部受用の凸部又は天部受用の凸部と同一平面位置まで延設されて、外装箱の底部内面又は天部内面に当接するように設けられてなるものとするのが好ましい。これにより、底部および天部の緩衝性も良好に保持される上、延設された前記緩衝突起の端部が外装箱の稜部や隅角部の支えの役目を果たすことになり、外装箱の稜部や隅角部の凹み防止を良好になすことができる。
【００１１】
前記の緩衝包装材において、前記下部包装材の稜部用の緩衝突起および稜部に近い側部用の緩衝突起の底部側の端部が底部下面の四隅部に有する底部緩衝用の凸部に連続して形成されてなるものとすることができる。さらに、前記上部包装材における少なくとも稜部用の緩衝突起の天部側の端部が、天部上面の四隅部もしくはその近傍に有する天部受用の凸部に連続して形成されてなるものとすることもできる。これにより、底部受用の凸部或いは天部受用の凸部による外装箱の底部および天部に対する当接面積が増し安定した支持状態を保持できるばかりか、外装箱の稜部や隅角部の凹み防止の効果をさらに高めることができる。
【００１２】
前記の緩衝包装材において、前記下部包装材における少なくとも稜部用の緩衝突起の底部側の端面、および前記上部包装材における少なくとも稜部用の緩衝突起の天部側の端面が、それぞれ斜めに面取り形成されてなるものが好ましい。これにより、外装箱の稜部や角部に強い力が作用して潰れが生じたときに、先ず外装箱が潰れることにより衝撃を緩和できて、前記緩衝突起の部分に直に強い力が作用するのを防止できる。
【００１３】
前記の緩衝包装材において、前記下部包装材の底部下面および上部包装材の天部上面がそれぞれ平坦面とされ、下部包装材の底部上面に被包装物の底部受用の凸部が、また上部包装材の天部下面に被包装物の天部受用の凸部がそれぞれ設けられてなるものとすることもできる。この場合において、前記下部包装材における少なくとも稜部用の緩衝突起の底部側の端面、および前記上部包装材における少なくとも稜部用の緩衝突起の天部側の端面が、それぞれ斜めに面取り形成されてなるものとすることもできる。この場合も、外装箱の稜部や角部に潰れが生じたときに、前記緩衝突起の部分に直に強い力が作用するのを防止できる。
【発明の効果】
【００１４】
上記した本発明の緩衝包装材によれば、包装状態において、上下部包装材の稜部用の緩衝突起が外装箱の稜部両側内面に当接もしくは近接して支持されることで、稜部や隅角部においても良好な緩衝効果を発揮できるとともに、外装箱の稜部や隅角部が容易に過度に大きく凹んだり破損したりすることがないため、保管時や輸送時の座りが悪くなったり、段積みした場合に不安定になることがなく、外観的な体裁もよく、商品イメージが悪くなったり、使用者に不安を与える虞もない。
【図面の簡単な説明】
【００１５】
【図１】本発明の第１の実施例の緩衝包装材の上部包装材と下部包装材の斜視図である。
【図２】同上の上部包装材と下部包装材の半部を縦断した正面図である。
【図３】同上の下部包装材の平面図である。
【図４】同上の下部包装材の底面図である。
【図５】同上の上部包装材と下部包装材の包装状態での断面図である。
【図６】同上の包装状態の外装箱を断面した一部の拡大正面図（ａ）と底面図（ｂ）である。
【図７】本発明の第２の実施例の緩衝包装材の上部包装材と下部包装材の斜視図である。
【図８】同上の上部包装材と下部包装材の正面図である。
【図９】同上の下部包装材の底面図である。
【図１０】同上の上部包装材と下部包装材の包装状態での断面図である。
【図１１】同上の包装状態の外装箱を断面した一部の拡大正面図（ａ）と底面図（ｂ）である。
【図１２】本発明の第３の実施例の上部包装材と下部包装材の正面図である。
【図１３】同上の下部包装材の底面図である。
【図１４】同上の上部包装材と下部包装材の包装状態での断面図である。
【図１５】同上の包装状態の外装箱を断面した一部の拡大正面図である。
【図１６】本発明のさらに他の実施例を示す下部包装材の平面図である。
【発明を実施するための形態】
【００１６】
次に本発明の実施の形態を図面に示す実施例に基づいて説明する。
【００１７】
図１〜図６の第１の実施例において、この実施例の緩衝包装材Ａ１は、それぞれ緩衝効果のある合成樹脂発泡体（例えば発泡性ビーズの型内発泡成形体）から成形された上下で対をなす上部包装材１と下部包装材２とよりなる。
【００１８】
これらの包装材は、任意の発泡樹脂成形体で作ることができるが、熱可塑性樹脂の発泡成形体であることが好ましい。熱可塑性樹脂にはポリスチレン系樹脂、ポリオレフィン系樹脂（例えばポリプロピレン系樹脂、ポリエチレン系樹脂）、ポリエステル系樹脂（例えばポリエチレンテレフタレート、ポリブチレンテレフタレート、ポリエチレンナフタレート）、ポリカーボネート系樹脂、ポリ乳酸系樹脂等が挙げられる。なかでも、ポリスチレンとポリエチレンを含む複合樹脂を用いることが好ましい。また、前記発泡体の発泡倍率は３〜５０倍が好ましい。
【００１９】
本発明の緩衝包装材Ａ１が対象とする被包装物は、例えば、半導体ウエハー等の基板を一定間隔の並列状態に保持して収納する適度に剛性のあるプラスチック製の専用の基板収納ボックスＢであり、通常、下部のボックス本体ｂ１とこれに被着自在な上部の蓋ｂ２とよりなり、コーナー部に丸みをつけた平面方形をなしている。図の場合は、上部側と下部側を簡略化して示している。上部包装材１と下部包装材２からなる本発明の緩衝包装材Ａ１は、前記基板収納ボックスＢを段ボール製の外装箱Ｃに収納して包装するのに使用するもので、下記の構成を備えている。
【００２０】
先ず、下部包装材２について説明すると、平面方形をなす本体部２１の上面側に、平面方形の前記被包装物Ｂの下部を挿入して嵌合状態でガタつきを生じさせないように保持できる角形の収納凹部２２が設けられている。２３は前記本体部２１における底部であり、該底部２３の下面２３ａには、段ボール製の外装箱Ｃに収納した包装状態において該外装箱Ｃの底部ｃ２に当接する底部受用の凸部２４が設けられており、外装箱Ｃとの間に空間を保有できるようになっている。この実施例の場合、底部下面２３ａの前後左右に所定の間隔をおいて、例えば図のように底部下面２３ａの四隅部に四つの凸部２４が設けられている。
【００２１】
前記収納凹部２２には、該収納凹部２２を囲む四方の側壁２５の周長方向（本体部の辺の長さ方向）の中央部内側に前記基板収納ボックスＢの下部の四方側面に有する凹部ｂ１−１，ｂ１−２に嵌合する凸部２６が設けられている。図の場合、各側壁２５の中央部が落とし込まれて前記凸部２６が形成されている。
【００２２】
前記収納凹部２２を囲む各側壁２５には、それぞれ外方に突出して段ボール製の外装箱Ｃの側部内面に当接する側部用の緩衝突起２７が設けられている。前記緩衝突起２７は、例えば図のように各側壁外面の前記周長方向に間隔をおいて本体部２１の平面におけるコーナー部つまり各側壁外面が交わるコーナー部２８に近い位置の２個所、またはそれ以上の個所に設けられている。これにより、前記側壁２５の外面と外装箱Ｃの側部内面との間に、前記緩衝突起２７の突出高さに相当する所要の空間を保有できるようになっている。
【００２３】
本発明の場合は、前記側部用の緩衝突起２７に加えて、各側壁２５の外面が交わる前記コーナー部２８に、外方へ斜めに突出して外装箱Ｃの側面による稜部の両側内面に当接もしくは僅かな間隙を存して近接する稜部用の緩衝突起２９が設けられており、これにより外装箱Ｃの底部ｃ２に近い側面による稜部を内側から支えることができるように形成されている。
【００２４】
前記稜部用の緩衝突起２９は、後述する第２の実施例のように、本体部２１の側方のみに突出するものであってもよいが、この第１の実施例の場合は、底部２３側の端部が底部受用の凸部２４と同一平面位置まで延設され、さらに、延設された端部が前記底部下面２３ａにおける四隅部もしくはその近傍に有する底部受用の凸部２４に連続して形成されており、該緩衝突起２９が、底部受用の凸部２４と共に底部２３を受ける役目も果たすように設けられている。
【００２５】
図示する実施例の場合は、前記下部包装材２の本体部２１の前記コーナー部２８に近い側部用の緩衝突起２７についても、底部２３側の端部が前記凸部２４と同一平面位置まで延設されるとともに、底部下面２３ａの底部用の凸部２４に連続して形成されている。
【００２６】
図の場合、前記稜部用の緩衝突起２９および側部用の緩衝突起２７の底部側の端面（下面）２９ａが突出先端側ほど上方位置になるように面取り状に斜めに形成されて、前記凸部２４に連続しており、これにより外装箱Ｃに収納した包装状態において、外装箱Ｃの底部ｃ２と側面部ｃ３との間の稜部の内側、および隅角部の内側に三角形の小さい空隙Ｓ２を保有できようになっている。
【００２７】
また、前記上部包装材１は、平面図および底面図の図示を省略しているが、基本的に下部包装材２と上下に略対称形をなしているもので、平面方形をなす本体部１１の下面側に、平面方形の前記被包装物Ｂの蓋部ｂ２による上部を挿入して嵌合状態でガタつきを生じさせないように保持できる角形の収納凹部１２が設けられている。また、前記本体部１１における天部１３の上面（外側面）１３ａには、段ボール製の外装箱Ｃでの包装状態において外装箱Ｃの天部ｃ１に当接する天部受用の複数の凸部１４が前後左右に間隔をおいて、例えば図のように天部上面１３ａの四隅部に設けられており、外装箱Ｃとの間に空間を保有できるようになっている。
【００２８】
ただし、前記収納凹部１２は前記下部包装材２における凸部２６に相当する構成を有しておらず、前記基板収納ボックスＢの上部を嵌合できるように形成されている。
【００２９】
そして、前記収納凹部１２を囲む各側壁１５には、それぞれ外方に突出して外装箱Ｃの内面に当接する側部用の緩衝突起１７が、上記の下部包装材２と同様に、各側壁外面の周長方向に間隔をおいて各側壁１５が交わるコーナー部１８に近い位置の２個所又はそれ以上の数個所に設けられており、前記側壁１５の外面と外装箱Ｃ内面との間に、該緩衝突起１７の突出高さに相当する所要の空間を保有できるようになっている。
【００３０】
さらに、前記側部用の緩衝突起１７に加えて、前記コーナー部１８に、外方へ斜めに突出して外装箱Ｃの側面部による稜部の両側内面に当接もしくは僅かな間隙を存して近接する稜部用の緩衝突起１９が設けられている。
【００３１】
前記稜部用の緩衝突起１９は、下部包装材２と同様に、天部側の端部が天部受用の凸部１４と同一平面位置まで延設され、さらに、延設された端部が前記天部上面１３ａにおける四隅部もしくはその近傍に有する底部受用の凸部１４に連続して形成されており、該緩衝突起１９が、底部受用の凸部１４と共に底部１３を受ける役目も果たすように設けられている。
【００３２】
図示する実施例の場合は、前記上部包装材１の本体部１１の前記コーナー部１８に近い側部用の緩衝突起１７についても、天部２３側の端部が前記凸部１４と同一平面位置まで延設されるとともに、天部上面１３ａの天部用の凸部１４に連続して形成されている。
【００３３】
さらに、この上部包装材１についても、前記稜部用の緩衝突起１９および側部用の緩衝突起１７の天部側の端面（上面）１９ａが突出先端側ほど下方位置になるように斜めに形成されて、前記凸部１４に連続しており、これにより外装箱Ｃに収納した包装状態において、外装箱Ｃの天部ｃ１と側面部ｃ３との間の稜部の内側、および隅角部の内側に三角形の小さい空隙Ｓ１を保有できようになっている。
【００３４】
なお、前記上部包装材１の側部用の緩衝凸起１７および稜部用の緩衝突起１９、並びに、下部包装材２の側部用の緩衝凸起２７および稜部用の緩衝突起２９は、図のように平面台形で、上下方向にリブ状に延びる突起のほか、例えば角柱状や円柱状あるいは半球状等の種々の形態による実施が可能である。
【００３５】
上記した実施例の緩衝包装材Ａ１を用いる包装状態について説明する。
【００３６】
図のようにウエハー専用の平面方形の基板収納ボックスＢを被包装物として包装する場合、ウエハーを収納した該被包装物Ｂのボックス本体ｂ１による下部を下部包装材２の収納凹部２２に挿入し嵌合状態に保持する。通常、前記下部包装材２を外装箱Ｃ内の底部上にセットしておいて、該下部包装材２の収納凹部２２に前記基板収納ボックスＢの下部を上方より収納し嵌合状態に保持する。この後、上部包装材１を前記基板収納ボックスＢの上部に被せ、該上部包装材１の下面側に有する収納凹部１２に前記基板収納ボックスＢの上部を嵌合状態に保持する。こうして外装箱Ｃの上部の天部ｃ１となるフラップを閉じて包装する。
【００３７】
この包装状態においては、平面方形の被包装物Ｂの上下部がそれぞれ上部包装材１と下部包装材２より嵌合状態で受支されて安定性よく保持される。そして緩衝包装材Ａ１の下部包装材２および上部包装材１が、それぞれ本体部２１および１１の側壁外側面に有する側部用の緩衝突起２７および１７が外装箱Ｃの側部内面に当接するとともに、特に稜部用の緩衝突起２９および１９が外装箱Ｃの稜部両側内面に当接もしくは近接している。そのため、輸送中や運搬等の取り扱いにおいて、外装箱Ｃに対し外力や外的衝撃が作用したときは、前記側部用の緩衝突起２７および１７並びに稜部用の緩衝突起２９および１９が弾性変形することで衝撃を緩和できる。
【００３８】
特に、外装箱Ｃの底部および天部近傍の稜部が前記稜部用の緩衝突起２９および１９により支えられ、隅角部等に従来のような大きな空間を有さないため、他物との接触や斜め落下等により外装箱Ｃの稜部や隅角部に大きな外力が作用しても、該稜部における過度の大きな凹み変形を前記緩衝突起２９および１９により抑制できる。このため、包装状態において、座りが悪くなったり段積み状態が不安定になることがなく、輸送先に不安感を与える心配がない。
【００３９】
特に、前記下部包装材２および上部包装材１の稜部用の緩衝突起２９および１９の底部側または天部側の端部が、底部受用の凸部２４あるいは天部受用の凸部１４と同一平面位置まで延設されていること、さらには該凸部２４又は１４に連続していることで、外装箱Ｃの底部と側面部との間の稜部や隅角部の内側も前記緩衝突起２９および１９により支えられることになり、外装箱Ｃの底部ｃ２や天部ｃ１の四辺の稜部および四隅の隅角部における大きな凹み変形が生じるのを防止でき、包装状態の保形性がよく、被包装物である基板収納ボックスＢの保護を良好になし得る。
【００４０】
図７〜図１１は第２の実施例を示している。この第２の実施例において、上記した第１の実施例と実質的に同じ構成部分については、同符号を付して詳しい説明を省略する。
【００４１】
この第２の実施例の緩衝包装材Ａ２においては、下部包装材２において、前記側部用の緩衝突起２７および稜部用の緩衝突起２９は、底部側の端部が底部受用の凸部２４と同一平面位置まで延設されることなく、本体部２１の側方のみに突出形成されている。また、前記下部包装材２と上下に対をなす上部包装材１についても、前記側部用の緩衝突起１７および稜部用の緩衝突起１９は、底部側の端部が底部受用の凸部１４と同一平面位置まで延設されることなく、本体部１１の側方のみに突出形成されている。
【００４２】
また、下部包装材２における前記稜部用の緩衝突起２９の底部側の端面、並びに上部包装材１の稜部用の緩衝突起１９の天部側の端面が、それぞれ斜めに面取り形成されて底部下面２３ａおよび天部上面１３ａに連続してしている。
【００４３】
この第２の実施例の場合も、ウエハー専用の平面方形の基板収納ボックスＢを被包装物として包装する場合、ウエハーを収納した前記基板収納ボックスＢの下部を、上記した第１の実施例と同様に、例えば外装箱Ｃ内の底部上にセットした下部包装材２の収納凹部２２に挿入し嵌合状態に保持する。この後、上部包装材１を前記基板収納ボックスＢの上部に被せ、該上部包装材１の下面側に有する収納凹部１２に前記基板収納ボックスＢの上部を嵌合状態に保持する。こうして外装箱Ｃの天部のフラップを閉じて包装する。
【００４４】
この包装状態においては、被包装物である基板収納ボックスＢの上下部がそれぞれ上部包装材１と下部包装材２より嵌合状態で受支されて安定性よく保持される。そして緩衝包装材Ａ２の下部包装材２および上部包装材１が、それぞれ本体部２１および１１の側壁外側面に有する側部用の緩衝突起２７および１７が外装箱Ｃの側部内面に当接するとともに、特に稜部用の緩衝突起２９および１９が外装箱Ｃの稜部の両側内面に当接もしくは近接している。このため、輸送中や運搬等の取り扱いにおいて、他物との接触等のために、外装箱Ｃに対し外力や外的衝撃が作用したときは、前記側部用の緩衝突起２７および１７、並びに稜部用の緩衝突起２９および１９が弾性変形することで衝撃を緩和できる。
【００４５】
しかも、外装箱Ｃの上下部における側面部ｃ３による稜部が前記稜部用の緩衝突起２９および１９により支えられるために、該稜部における過度の大きな凹み変形を前記緩衝突起２９および１９により抑制できる。このため、外装箱Ｃの座りが悪くなったり、段積み状態が不安定になることがなく、使用者に不安感を与える心配がない。
【００４６】
図１２〜図１５は、本発明の緩衝包装材Ａ３の第３の実施例を示しており、この第３の実施例において、上記した第１の実施例および第２の実施例と実質的に同じ構成部分については、同符号を付して詳しい説明を省略する。
【００４７】
この第３の実施例の緩衝包装材Ａ３においては、上記した第１の実施例および第２の実施例とは違い、下部包装材２の本体部２１における底部２３の下面２３ａおよび上部包装材１の本体部１１における天部１３の上面１３ａは、底部受用および天部受用の凸部を有さない平坦面とされるとともに、該底部２３の上面（内面）２３ｂおよび天部１３の下面（内面）１３ｂに、底部受用の凸部１２４および天部受用の凸部１１４がそれぞれ設けられており、該凸部１２４および１１４により被包装物としての基板収納ボックスＢの底部および天部を受けることで、該基板収納ボックスＢと前記底部２３および天部１３との間に空隙を保有して、緩衝効果を発揮できるようになっている。
【００４８】
この第３の実施例の場合、第２の実施例と同様に、前記下部包装材２の本体部２１および上部包装材１の本体部１１の各側壁２５および１５の外側面に側部用の緩衝突起２７および１７が設けられるとともに、該側壁２５および１５のコーナー部２８および１８の外面に、斜めに外方へ突出して外装箱Ｃの稜部の両側内面に当接もしくは近接する稜部用の緩衝突起２９および１９が設けられている。
【００４９】
この第３の実施例の場合も、ウエハーを収納した前記基板収納ボックスＢの下部を、上記した第１の実施例と同様に、例えば外装箱Ｃ内の底部上にセットした下部包装材２の収納凹部２２に挿入し嵌合状態に保持する。この後、上部包装材１を前記基板収納ボックスＢの上部に被せ、該上部包装材１の下面側に有する収納凹部１２に前記基板収納ボックスＢの上部を嵌合状態に保持する。こうして外装箱Ｃの天部ｃ１となるフラップを閉じて包装する。
【００５０】
この包装状態においては、被包装物としての前記基板収納ボックスＢの上下部がそれぞれ下部包装材２と上部包装材１により、収納凹部２２および１２に嵌合した状態で底部受用の凸部１２４および天部受用の凸部１１４に支えられて保持される。そして、緩衝包装材Ａ３の下部包装材２および上部包装材１が、それぞれ本体部２１および１１の側壁外側面に有する側部用の緩衝突起２７および１７が外装箱Ｃの側部内面に当接するとともに、特に稜部用の緩衝突起２９および１９が外装箱Ｃの稜部両側内面に当接もしくは近接している。そのため、輸送中や運搬等の取り扱いにおいて、他物との接触等のために、外装箱Ｃに対し外力や外的衝撃が作用したときは、前記側部用の緩衝突起２７および１７並びに稜部用の緩衝突起２９および１９が弾性変形することで衝撃を緩和できる。
【００５１】
しかも、外装箱Ｃの底部側および天部側の側面による稜部が前記稜部用の緩衝突起２９および１９により支えられるために、該稜部における過度の大きな凹み変形を前記緩衝突起２９および１９により抑制できる。このため、包装状態において、外装箱Ｃの座りが悪くなったりも、段積み状態が不安定になることがなく、使用者に不安感を与える心配がない。また、外装箱Ｃの底部ｃ２および天部ｃ１は、前記のように下部包装材２の底部下面２３ａおよび上部包装材１の天部上面１３ａがそれぞれ当接しているために凹み変形が抑制される。
【００５２】
なお、上記した第１〜第３の各実施例においては、いずれも、上下で対をなす下部包装材２と上部包装材１とが、一つの被包装物を収納保持して、外装箱そ内に収納して包装する場合について説明したが、このほか、例えば上記した実施例の緩衝包装材を二つもしくは複数個を外装箱内に並べて収納して、複数個の被包装物を同時に包装するように使用することができる。
【００５３】
また、図１６に下部包装材２を示すように、上下に対をなす下部包装材と上部包装材とを、それぞれ平面長方形にして、上下部包装材の本体部にそれぞれ二つの収納凹部を設定して上記同様に実施することもできる。この場合、図１６の例のように、本体部２１における二つの収納凹部２２，２２間では両者の側壁２５が仕切壁を兼ねる構成とすることができる。
【産業上の利用可能性】
【００５４】
本発明は、半導体ウエハー等の基板、ガラス基板等の繊細な各種の基板を収納した基板収納ボックスを外装箱に収納して包装するのに好適に利用できるほか、高い緩衝保護の効果が求められる他の被包装物の包装にも好適に利用できる。
【符号の説明】
【００５５】
Ａ１，Ａ２，Ａ３…緩衝包装材、Ｂ…被包装物、ｂ１…ボックス本体、ｂ２…蓋、Ｃ…外装箱、ｃ１…天部、ｃ２…底部、ｃ３…側面部、１…上部包装材、１１…本体部、１２…収納凹部、１３…天部，１３ａ…天部上面、１４，１１４…天部受用の凸部、１５…側壁、１６…凸部、１７…側部用の緩衝突起、１８…コーナー部、１９…稜部用の緩衝突起、１９ａ…端面、２…下部包装材、２１…本体部、２２…収納凹部、２３…底部、２３ａ…底部下面、２４，１２４…底部受用の凸部、２５…側壁、２６…凸部、２７…側部用の緩衝突起、２８…コーナー部、２９…稜部用の緩衝突起、２９ａ…端面。
【図１】
2010208658.tif 000003
【図２】
2010208658.tif 000004
【図３】
2010208658.tif 000005
【図４】
2010208658.tif 000006
【図５】
2010208658.tif 000007
【図６】
2010208658.tif 000008
【図７】
2010208658.tif 000009
【図８】
2010208658.tif 000010
【図９】
2010208658.tif 000011
【図１０】
2010208658.tif 000012
【図１１】
2010208658.tif 000013
【図１２】
2010208658.tif 000014
【図１３】
2010208658.tif 000015
【図１４】
2010208658.tif 000016
【図１５】
2010208658.tif 000017
【図１６】
2010208658.tif 000018